(57)【要約】【課題】本発明は、画像認証装置による人の入退場管理システムに関し、従来の人の入退場管理システムにおいては、ＩＣ等のカードで行っているので、カード作成に手間が掛かり、カードの紛失・携帯忘れや、他人に成りすますことが容易に行われることがあり、カード認証では不便・不都合な場合が多いということが課題であって、それを解決することである。【解決手段】  個人データと顔画像データとを同じＩＤ情報に紐付けて予め顔蓄積サーバに登録し、建設現場におけるゲートに顔認証装置を設けて、入退場者の顔画像データを取得すると共に、この顔画像データと前記顔蓄積サーバから得られる顔画像データとを照合して、入退場者の入退場を認証することとした、画像認証装置による人の入退場管理システム１とする。【選択図】図１
2016058015.tif 000002
【特許請求の範囲】
【請求項１】
個人データと顔画像データとを同じＩＤ情報に紐付けて予め顔蓄積サーバに登録し、建設現場におけるゲートに顔認証装置を設けて、入退場者の顔画像データを取得すると共に、この顔画像データと前記顔蓄積サーバから得られる顔画像データとを照合して、入退場者の入退場を認証すること、
を特徴とする画像認証装置による人の入退場管理システム。
【請求項２】
ネットワークに接続されているとともに特定業種の社員・作業員の個人データを蓄積するとともに、個人識別用のＩＤ情報を有するＱＲコード付き個人情報識別書を発行する特定業種用の入力装置及び記憶装置とを有する建設用データサイトと、
前記ネットワークに接続され前記建設用データサイトから個人データを入手し記憶するとともに、建設現場における事務所に来所した新規入場者が持参したＱＲコード付き個人情報識別書のＱＲコードから取得されるＩＤ情報によって抽出される前記新規入場者の個人データと、初回登録用の顔画像認証装置から入手される前記新規入場者の顔画像データとを紐付けて、当該新規入場者の顔画像データ付き個人データとして蓄積する、新規入場者用の入力装置と記憶装置と顔画像認証装置および顔蓄積サーバとを少なくとも有する事務所サイトと、
前記建設現場における作業所のゲートに設けられ前記ネットワーク若しくは有線ＬＡＮを介して前記事務所サイトに接続されるとともに、前記ゲートに設置されて入退場者の顔画像データの顔認証を行う、入退場者用の顔認証用端末装置を有するゲートサイトとで構成されていること、
を特徴とする画像認証装置による人の入退場管理システム。
【請求項３】
建設用データサイトにおける特定業種用の記憶装置に予め記憶されている個人用データは、グリーンサイトの個人データであること、
を特徴とする請求項２に記載の画像認証装置による人の入退場管理システム。
【請求項４】
建設現場における事務所に来所した新規入場者が、持参すべき該新規入場者用のＱＲコード付き個人情報識別書を忘れた場合には、事務所サイトの入力装置から建設用データサイトの入力装置にアクセスして個人情報識別書を発行して、前記新規入場者の初回登録を行うこと、
を特徴とする請求項２または３に記載の画像認証装置による人の入退場管理システム。
【請求項５】
建設現場における事務所に来所した新規入場者が、予め建設用データサイトにおいて当該新規入場者に係る個人データを登録していない場合には、事務所にてアンケートの回答を行いそれにより前記新規入場者の個人データを事務所サイトのＩＤ情報を付けて記憶装置に登録した後、前記事務所サイトのＩＤ情報を有する個人情報識別書を発行し、前記新規入場者の顔画像データ付き個人データとしての初回登録を行うこと、
を特徴とする請求項２または３に記載の画像認証装置による人の入退場管理システム。
【請求項６】
ゲートサイトの顔認証用端末装置では、入退場者の入退場データが記憶装置に記憶され、事務所サイトの入力装置を介して前記入退場データが当該事務所サイトの記憶装置に蓄積されること、
を特徴とする請求項２乃至５のいずれか１項に記載の画像認証装置による人の入退場管理システム。
【発明の詳細な説明】
【技術分野】
【０００１】
本発明は、例えば、顔認証による画像認証装置を設けて、多数の人が出入りする建築・土木などの工事現場における、人の入退場管理システムに関するものである。
【背景技術】
【０００２】
従来、建設現場などにおける作業所の、作業員の入退場管理システムは、例えば、作業員用にＩＣカード若しくは磁気カードを導入して、作業所の入り口で認証を行って管理することが多かった。このような入退場管理システムでは、例えば、特許文献１，２に記載されているように、非接触ＩＣカードを作業員等に携帯させて、非接触で読み取るカードリーダー無線端末と、ＩＣカードに入退場の時刻等の情報を時系列的に書き込む手段と、室内への入退場を管理する入退管理サーバーとを有機的に接続して配設し、前記作業員等を管理する入退場管理システムが知られている。このほか、指紋認証や静脈認証による認証が知られている。
【先行技術文献】
【特許文献】
【０００３】
【特許文献１】特開２０１０−２１７９９９号公報
【特許文献２】特開２０１０−１６３７９８号公報
【発明の概要】
【発明が解決しようとする課題】
【０００４】
しかし、従来の入退場管理システムでは、ＩＣカードの作成やデータのメンテナンスに手間が掛かる。未登録者が居たりした場合やカードの紛失・忘れの場合に、作業員の登録・再登録に手間が掛かる。また、安全面では、悪意によって作業員同士がカードの貸し借りすることで、容易に別の作業員に成りすましを行うことが可能であり、安全管理上の課題がある。
【０００５】
また、カードであると、常に作業者が携帯する必要があり、カードの劣化、紛失、忘れなどの不都合があると、その場で迅速に対応できないという恐れがある。これらに対して、指紋認証の場合では、携帯に対する心配は無いが、指の怪我があったり、指紋の消滅の場合があり、これも完全ではない。更に、指紋認証や静脈認証の場合、手袋をしていると、認証の度に手袋を外す必要があり、その手間が掛かる。本発明に係る画像認証装置による人の入退場管理システムは、このような課題を解決するために提案されたものである。
【課題を解決するための手段】
【０００６】
本発明に係る画像認証装置による人の入退場管理システムの上記課題を解決して目的を達成するための要旨は、個人データと顔画像データとを同じＩＤ情報に紐付けて予め顔蓄積サーバに登録し、建設現場におけるゲートに顔認証装置を設けて、入退場者の顔画像データを取得すると共に、この顔画像データと前記顔蓄積サーバから得られる顔画像データとを照合して、入退場者の入退場を認証することである。
【０００７】
また、画像認証装置による人の入退場管理システムの要旨は、ネットワークに接続されているとともに特定業種の社員・作業員の個人データを蓄積するとともに、個人識別用のＩＤ情報を有するＱＲコード（登録商標、以下同じ）付き個人情報識別書を発行する特定業種用の入力装置及び記憶装置とを有する建設用データサイトと、前記ネットワークに接続され前記建設用データサイトから個人データを入手し記憶するとともに、建設現場における事務所に来所した新規入場者が持参したＱＲコード付き個人情報識別書のＱＲコードから取得されるＩＤ情報によって抽出される前記新規入場者の個人データと、初回登録用の顔画像認証装置から入手される前記新規入場者の顔画像データとを紐付けて、当該新規入場者の顔画像データ付き個人データとして蓄積する、新規入場者用の入力装置と記憶装置と顔画像認証装置および顔蓄積サーバとを少なくとも有する事務所サイトと、前記建設現場における作業所のゲートに設けられ前記ネットワーク若しくは有線ＬＡＮを介して前記事務所サイトに接続されるとともに、前記ゲートに設置されて入退場者の顔画像データの顔認証を行う、入退場者用の顔認証用端末装置を有するゲートサイトとで構成されていることである。
【０００８】
前記建設用データサイトにおける特定業種用の記憶装置に予め記憶されている個人用データは、グリーンサイト（登録商標、以下同じ）の個人データであることを含む。
【０００９】
前記建設現場における事務所に来所した新規入場者が、持参すべき該新規入場者用のＱＲコード付き個人情報識別書を忘れた場合には、事務所サイトの入力装置から建設用データサイトの入力装置にアクセスして個人情報識別書を発行し、前記新規入場者の初回登録を行うことである。
【００１０】
前記建設現場における事務所に来所した新規入場者が、予め建設用データサイトにおいて当該新規入場者に係る個人データを登録していない場合には、事務所にてアンケートの回答を行いそれにより前記新規入場者の個人データを事務所サイトのＩＤ情報を付けて記憶装置に登録した後、当該事務所サイトにて前記事務所サイトのＩＤ情報を有する個人情報識別書を発行し、前記新規入場者の顔画像データ付き個人データとしての初回登録を行うことである。
【００１１】
前記ゲートサイトの顔認証用端末装置では、入退場者の入退場データが記憶装置に記憶され、事務所サイトの入力装置を介して前記入退場データが当該事務所サイトの記憶装置に蓄積されることを含むものである。
【発明の効果】
【００１２】
本発明の画像認証装置による人の入退場管理システムによれば、例えば、建設現場において入退場する複数の会社に属する作業員の顔認証が可能となり、成りすましを行うことが不可能となり、不正の抑止力にもつながる。顔自体で認証を行うため作業員等がＩＣカード等のカードを持参する必要がなくなり、紛失や忘れる恐れも無くなる。また、顔認証なので両手が自由であり手袋をしていても支障が無く、認証に要する時間が短時間であって手間の掛からない認証作業となる。
【００１３】
顔認証データをサーバーにおき複数の作業所から利用することで、一度、ある建設会社の作業所に入場した作業員は、再度登録すること無く、他の作業所への入場が可能となると共に、過去に入場した履歴や行動を共有することも可能である。
【００１４】
また、新規入場者が、建設用データサイトで発行するＱＲコード付きの個人情報識別書を持参しなかった場合でも、建設現場の事務所において、氏名・会社名等と顔画像データとの個人データを入力装置で入力して登録する事が可能であり、若しくは、前記事務所においても前記個人データに独自のＩＤ情報を付与して個人情報識別書を発行することができるので、このような場合でも、建設現場において新規入場者の顔認証作業に手間を取らせることはない。
【００１５】
更に、前記新規入場者が、建設用データサイトにおいて個人データを未だに登録していなかった者である場合には、事務所にて新規入場者の個人データを登録して、建設現場でのＩＤ情報を付けて顔画像データ付きの個人データを作成し、初回登録をできるようにすることで、その後、作業所のゲートにて顔認証ができるようになって、手間が掛からないものである。
【００１６】
しかも、入退場者の入退場のデータである入退場時間が記録され、そのデータにより、作業員の出勤状況や労働時間、残業時間などを集計することができて、労務管理にも容易に活用することができると言う、数々の優れた効果を奏するものである。
【図面の簡単な説明】
【００１７】
【図１】本発明に係る画像認証装置による人の入退場管理システム１の全体のシステム概要を示す概略構成図である。
【図２】同本発明の画像認証装置による人の入退場管理システム１の具体的な構成を示す構成図である。
【図３−Ａ】同本発明に係る画像認証装置による人の入退場管理システム１による、顔画像認証の手順を示すフローチャート図である。
【図３−Ｂ】事務所サイト３における新規入場者である建設作業員９の登録機能を説明する説明図である。
【図４】同画像認証装置による人の入退場管理システム１による、新規入退場者の初回登録の手続きを示す説明図である。
【図５】同画像認証装置による人の入退場管理システム１による、新規入場者がＱＲコード付きアンケート用紙を持参しなかった場合の、初回登録の手続きを示す説明図である。
【図６】同画像認証装置による人の入退場管理システム１による、新規入場者が建設用データサイトに個人データを登録していなかった場合の、事務所サイトにて行う初回登録の手続きを示す説明図である。
【図７−Ａ】建設現場での作業所における２種類のゲートの入退場構造を示す概略平面図（Ａ），（Ｂ）である。
【図７−Ｂ】入退場者である建設作業員９の顔人認証システムによる入退場の判定の様子を示す説明図である。
【図８】画像認証装置による人の入退場管理システム１における、入退場した建設作業員９のデータを取得する手続きを示す説明図である。
【発明を実施するための形態】
【００１８】
本発明に係る画像認証装置による人の入退場管理システム１は、図１に示すように、建設現場の事務所若しくはゲートにおいて、顔画像データ付きの個人データによって、顔認証による入退場管理システムを構築するものである。
【実施例１】
【００１９】
本発明に係る画像認証装置による人の入退場管理システム１は、図１乃至図２に示すように、建設用データサイトとしてその一例として挙げる建設サイト（登録商標、以下同じ）２がある。該建設サイト２の個人データと事務所サイト３で取得される顔画像データとを同じＩＤ情報に紐付けて予め顔蓄積サーバ３ａに登録し、建設現場におけるゲートに顔認証装置を設けて、入退場者の顔画像データを取得すると共に、この顔画像データと前記顔蓄積サーバ３ａから得られる顔画像データとを照合して、図３−Ａの認証フローチャートに示す手順にて、入退場者である建設作業員９の入退場を認証するものである。
【００２０】
以下、画像認証装置による人の入退場管理システム１の具体的な構成を説明する。例えば、図２に示すように、インターネットに代表されるネットワーク５に接続されているとともに特定業種の社員・作業員の個人データを蓄積するとともに、個人識別用のＩＤ情報のみを有するＱＲコード（６ａ）付きの個人情報識別書である、一例としてのアンケート用紙６を発行する特定業種用の入力装置（キーボード、モニター等を含む、図示せず）及び記憶装置２ａとを有する、建設用データサイトである建設サイト２がある。
【００２１】
前記特定業種とは、例えば、建設業等である。その個人データ２ｂとは、例えば、建設業に携わる複数の会社に所属する建設作業員９の、氏名、所属する会社名、性別、年齢などの項目を有するデータである。また、ＩＤ情報は、個人データ２ｂにおいて他の作業員と識別するための、例えば、「Ｇ００１」、「Ｇ００２」等の識別符号である。
【００２２】
そして、建物等の建設現場７における事務所サイト３は、図２に示すように、前記ネットワーク５に接続され前記建設サイト２から個人データ２ｂを入力装置３ｃで入手し、その個人データ２ｂを記憶装置３ｂに記憶するという機能を有する。
【００２３】
更に、建設現場７における事務所３ｈへ初回に来所した新規入場者である建設作業員９が持参した、該新規入場者を特定するＱＲコード６ａ付きアンケート用紙６によって、該ＱＲコードからＱＲコードリーダ３ｅで取得されるＩＤ情報によって抽出される個人データ２ｂと、初回登録用の顔画像認証装置（入力装置３ｃ、記憶装置３ｂ、撮像装置３ｄ）から入手される前記新規入場者の顔画像データとを紐付けて、当該新規入場者である建設作業員９の顔画像データ付き個人データ３ｉとして蓄積するための、新規入場者用の入力装置３ｃと記憶装置３ｂとでなる連携システムと、初回登録用の顔画像認証装置（入力装置３ｃ、記憶装置３ｂ、撮像装置３ｄ）および顔蓄積サーバ３ａとでなる顔認証システムとを有してなる。
【００２４】
前記建設現場７における建設作業員９が入退場するゲートサイト４は、該ゲートに設けられていて、前記ネットワーク５若しくは有線ＬＡＮ８を介して前記新規入場者用の入力装置３ｃに接続されるとともに、顔画像認証装置（入力装置４ａ、撮像装置４ｂ）で得られた入退場者である建設作業員９の顔画像データの顔認証を行う、入退場者用の顔認証用端末装置を有してなる。
【００２５】
このように、本発明に係る画像認証装置による人の入退場管理システム１は、前記建設用データサイトの一例である建設サイト２、事務所サイト３、ゲートサイト４とで構成されている。以下、上記の各構成について詳述する。
【００２６】
図１に示すように、前記建設サイト２における特定業種用の記憶装置２ａに予め記憶されている個人用データ２ｂは、建設サイトシリーズにて協力会社で構成されるグリーンサイト（労務安全書類ＡＳＰ：Ａｐｐｌｉｃａｔｉｏｎ  Ｓｅｒｖｉｃｅ  Ｐｒｏｖｉｄｅｒ）の個人データである。なお、これは一例であって、他の特定業種用の個人データであっても良い。
【００２７】
事務所サイト３における連携システムは、図２に示すように、入力装置（キーボード、モニタ、ＱＲコードリーダ３ｅを含む）３ｃと記憶装置３ｂとで構成され、当該記憶装置３ｂに、建設サイト２の個人データ２ｂがＱＲコード６ａの読み取りと同時に取り込まれて記憶されている。
【００２８】
更に、入力装置３ｃ、記憶装置３ｂには、前記個人データ２ｂと建設作業員９の顔画像３ｇのデータを紐付ける機能がある。初回入場用の事務所独自のＩＤ（例えば、Ｋ００１等）を発行する機能がある。このほか、ゲートサイト４からの入退場者の入退場記録を記憶して、それを印刷装置３ｆに帳票として出力させる機能もある。
【００２９】
また、図３−Ｂに示すように、事務所サイト３には、初回登録用の顔認証システムがあり、顔画像認証装置（入力装置３ｃ、記憶装置３ｂ、撮像装置３ｄ）および顔蓄積サーバ３ａでなり、この顔蓄積サーバ３ａのデータは、前記個人データ２ｂと、顔画像３ｇの画像データとの合体させた顔画像データ付き個人データ３ｉとなる。
【００３０】
このように、事務所サイト３では、連携システムと顔人認証システムとの二つのシステムが混在しており、この画像認証装置による人の入退場管理システム１の中核をなすものである。
【００３１】
前記ゲートサイト４は、建設現場７の１箇所（複数箇所でも良い）に設けられるゲートに設置される端末装置で顔人認証する機能がある。図１乃至図２に示すように、キーボードとモニタとの入力装置４ａ、顔画像を採るための撮像装置４ｂとで構成されており、プログラムなどを記憶する記憶装置があるものの、膨大な個人データを蓄積する記憶装置は無い。この端末装置で、ゲートの入退場者である建設作業員９の顔認証をするものである。
【００３２】
上記本発明に係る画像認証装置による人の入退場管理システム１による、顔認証について、図３−Ａ乃至図４を参照して、基本的な顔認証の手続きを説明する。
【００３３】
図３−Ａおよび図４に示すように、ステップ（以下、ＳＴと略記）１で、ある建設現場７での新規入場者となる建設作業員９が、ＱＲコード付きアンケート用紙６を持参して、建設現場７の事務所３ｈに出向いて、この建設現場に出入りする作業員であることを認証するため、初回登録を行う。
【００３４】
この建設作業員９が持参する前記ＱＲコード付きアンケート用紙６は、図４に示すように、前記建設作業員９の属する協力会社の担当者が、インターネットを介して建設サイト２からＱＲコード６ａを特定して前記建設作業員９の個人データを入手し、ＱＲコード付きアンケート用紙６を印刷装置で印刷したものである。なお、建設サイト２には、建設作業員９の個人データが記憶装置２ａに予め登録されている。
【００３５】
次に、ＳＴ２において、前記建設作業員９の顔画像３ｇのデータを個人データ２ｂに登録する。図３−Ｂに示すように、事務所サイト３の顔認証システムである、顔画像認証装置（入力装置３ｃ、記憶装置３ｂ、撮像装置３ｄ）で行う。
【００３６】
そして、ＳＴ３にて、個人データ２ｂと顔画像３ｇの画像データとが紐付けられて、顔画像データ付き個人データ３ｉは、顔蓄積サーバ３ａに保存される。これで、初回登録が完了する。
【００３７】
初回登録が完了したので、ＳＴ４において、前記建設作業員９は、建設現場７の入退場用のゲートに行く。このゲートは、図７−Ａ（Ａ），（Ｂ）に示すように、建設現場７で仮囲いで囲われた作業所の一角に設けられ、該ゲートを入退場者である建設作業員９が、一人づつ出入りするものである。尚、ゲートが複数箇所にある場合には、各ゲート毎に顔認証用の端末装置を設けるものである。
【００３８】
このゲートでは、撮像装置４ｂの配置と、建設作業員９の入口４ｅと、出口４ｆとの関係で、２種類の構造を設定している。そのうち、一つのゲート構造は、顔認証が行い易いようにすべく、図７−Ａ（Ａ）のように、このゲートを通らないと入場できないように設定できる。また、光の影響の防水排除及び防水のため、当該ゲートは屋根付きとするものである。
【００３９】
また、他のゲート構造は、図７−Ａ（Ｂ）のように設定することで、光の影響が少ないので顔認証に好都合である。これ以外にも適宜にゲートの設定を変更することが好ましい。尚、図示等していないが、前記ゲートの構造において、入場専用ゲートと退場専用ゲートとを別々に設けてそれぞれの顔画像認証装置で顔認証することも好ましいものである。
【００４０】
次に、ＳＴ５において、図７−Ｂに示すように、ゲートサイト４において、顔認証用の端末装置でゲートを入退場する建設作業員９の顔認証が行われ判定される。入退場する建設作業員９が入力装置４ａのモニタ画面４ｄのタッチパネルに表示された「入場」若しくは「退場」の画像をタッチすると、撮像装置４ｂで顔画像４ｃが撮影されて、その顔画像４ｃのデータと、事務所サイト３における顔蓄積サーバ３ａの顔画像データ付き個人データ３ｉとが瞬時に比較されて、該当者が居る場合には、認証成功となる。よって、建設作業員９は、「ＯＫ」にタッチして、建設現場７内部に入場若しくは退場する。
【００４１】
前記顔認証に失敗した場合で、顔画像が上手く撮影されなかったと思われる場合には、再度、顔認証のトライをする。また、顔画像データ付き個人データ３ｉが登録されていない場合には、事務所３ｈに行って図４に示す初回の作業員登録を済ませるものである。
【００４２】
なお、ゲートの入口４ｅ、出口４ｆに電子扉を設けて、前記ゲートサイト４の顔認証用の端末装置と連動させ、前記電子扉の開閉を行うようにしても良い。更に、不正入場しようとした場合には、この端末装置で、警告表示、警報音などで警報を発するものである。
【実施例２】
【００４３】
図５に示すように、建設現場７の事務所３ｈに来た新規入場者である建設作業員９が、持参すべき該新規入場者用のＱＲコード付きアンケート用紙６を忘れた場合には、事務所サイト３で当該アンケート用紙６を発行する。
【００４４】
即ち、事務所サイト３における入力装置３ｃから建設サイト２の入力装置にネットワーク（インターネット）５を介してアクセスして、ＱＲコード付きアンケート用紙６を発行してもらい、事務所サイト３の印刷装置３ｆで印刷する。
【００４５】
前記ＱＲコード付きアンケート用紙６を、ＱＲコードリーダ３ｅで読み取り、前記新規入場者である建設作業員９の顔画像３ｇのデータを、顔認証システムである顔画像認証装置（入力装置３ｃ、記憶装置３ｂ、撮像装置３ｄ）で取得する。
【００４６】
そして、前記新規入場者である建設作業員９の個人データ２ｂと顔画像３ｇのデータとを紐付けて、顔画像データ付き個人データ３ｉを、顔蓄積サーバ３ａに保存して、当該新規入場者である建設作業員９の初回登録を行うのである。他の実施例として、前記事務所サイト３でＱＲコード付きアンケート用紙６の発行をしないで、印刷の手間を省くことができる。即ち、前記作業員９の氏名と会社名等とのデータを前記顔画像認証装置で入力し、顔画像付き個人データ３ｉを顔蓄積サーバ３ａに保存して、この作業員９の初回登録を行うことも可能である。その後、新規入場者である建設作業員９は、ゲートに行ってゲートサイト４における顔認証用の端末装置で顔認証をするものである。
【実施例３】
【００４７】
図６に示すように、事務所３ｈに来た新規入場者である建設作業員９が、予め建設サイト２において当該新規入場者に係る個人データ２ｂを登録していない場合には、事務所サイト３にて初回登録するために、事務所３ｈにおいて前記新規入場者である建設作業員９がアンケートの回答を行う。
【００４８】
それにより、○×建設の担当者が前記新規入場者の氏名、会社名等の個人データ２ｂだけを入力装置３ｃから入力し、ＱＲコードに代わる変わる独自の事務所サイト３におけるＩＤ情報（この場合には、Ｋ００１など）を付けて記憶装置３ｂに登録する。
【００４９】
そして、当該事務所サイト３にて前記事務所サイト３のＩＤ情報を有するＱＲコード付きアンケート用紙６を発行し、印刷装置３ｆで印刷する。なお、後に、ＩＤ情報として、建設サイト２から初回登録用のＧ００１等のデータを入手して、前記事務所サイト３のＩＤ情報（Ｋ００１）と建設サイト２のＩＤ情報（Ｇ００１）とを、前記建設作業員９の個人データ２ｂとして互いに結びつけるものである。
【００５０】
前記印刷されたＱＲコード付きアンケート用紙６を、前述と同様に、ＱＲコードリーダ３ｅで読み取り、前記新規入場者である建設作業員９の顔画像３ｇのデータを、顔認証システムである顔画像認証装置（入力装置３ｃ、記憶装置３ｂ、撮像装置３ｄ）で取得する。
【００５１】
そして、前記新規入場者である建設作業員９の個人データ２ｂと顔画像３ｇのデータとを紐付けて、顔画像データ付き個人データ３ｉを、顔蓄積サーバ３ａに保存して、当該新規入場者である建設作業員９の初回登録を行うのである。なお、他の実施例として、前記事務所サイト３における登録作業の省力化のために、ＱＲコード付きアンケート用紙６を発行しない場合には、事務所サイト３における前記顔画像認証装置で作業員９の氏名、会社名等を入力してこの個人データ２ｂと、顔画像３ｇのデータとを紐付けて、顔画像データ付き個人データ３ｉを顔蓄積サーバ３ａに保存して、初回登録を行うようにしても良い。その後、新規入場者である建設作業員９は、ゲートに行ってゲートサイト４における顔認証用の端末装置で顔認証をするものである。
【実施例４】
【００５２】
ゲートサイト４の顔認証用端末装置では、入退場者である建設作業員９の入退場データ（時刻等）が記憶装置（入力装置４ａに付属の記憶装置）に記憶され、事務所サイト３の入力装置３ｃを介して、前記入退場データが当該事務所サイト３の記憶装置３ｂに蓄積される。この入退場データを入力装置３ｃ、印刷装置３ｆによって帳票に印刷することで、建設作業員９の勤務時間などを管理することができるものである。
【００５３】
更に、図８に示すように、例えば、〇×建設の事務所サイト３にて担当者が、定期的に建設サイト２から建設作業員９の個人データ２ｂをネットワーク５を介して出力（例えば、エクセル等）してもらい、常に新しい個人データ２ｂを記憶装置３ｂに保存する。
【００５４】
下請け会社等に属する建設作業員９は、複数の建設会社に出入りするので、常に、最新の個人データ２ｂに更新して、建設業界に新規に登録された者、継続している者、退職した者を識別して、顔認証による入退場の管理を正確に行えるようにするためである。
【産業上の利用可能性】
【００５５】
本発明に係る画像認証装置による人の入退場管理システムによれば、入退場者を顔認証によって入退場を管理することで、建築・土木関連の現場に限らず、人の出入りが多く、且つ、仕事の安全性・秘密管理を確保すべき場合の、事務所、会場、倉庫等に広く適用できるものである。
【符号の説明】
【００５６】
１          画像認証装置による人の入退場管理システム、
２          建設サイト、                        ２ａ      記憶装置、
２ｂ        個人データ、  
３          事務所サイト、                      ３ａ      顔蓄積サーバ、
３ｂ        記憶装置、                          ３ｃ      入力装置、
３ｄ        撮像装置、                          ３ｅ      ＱＲコードリーダ、
３ｆ        印刷装置、                          ３ｇ      顔画像、    
３ｈ        事務所、                            
３ｉ        顔画像データ付き個人データ、      
４          ゲートサイト、                      ４ａ      入力装置、
４ｂ        撮像装置、                          ４ｃ      顔画像、
４ｄ        入力装置の画面、                    ４ｅ      入口、
４ｆ        出口、
５          ネットワーク、
６          ＱＲコード付きアンケート用紙、      ６ａ      ＱＲコード、
７          建設現場、
８          有線ＬＡＮ、
９          建設作業員。
【図１】
2016058015.tif 000003
【図２】
2016058015.tif 000004
【図３−Ａ】
2016058015.tif 000005
【図３−Ｂ】
2016058015.tif 000006
【図４】
2016058015.tif 000007
【図５】
2016058015.tif 000008
【図６】
2016058015.tif 000009
【図７−Ａ】
2016058015.tif 000010
【図７−Ｂ】
2016058015.tif 000011
【図８】
2016058015.tif 000012